(57)【要約】【課題】  梱包された状態における事務機器の移動を容易とする。【解決手段】  複写機１１等の事務機器にはキャスター１２が備えられており、事務機器は梱包箱体２１に収納される。梱包箱体にはその底面に沿って回転軸体２３が配置され、回転軸体２３には偏心カム部材２５が取り付けられている。昇降レバー２４を操作すると、偏心カム部材の回動によって事務機器が昇降して、梱包箱体の底面に形成された切り欠き部２６からキャスターが露出する。【選択図】  図１
2005239252.tif 000002
【特許請求の範囲】
【請求項１】
底面に移動用車輪が装着された事務機器を収納するための事務機器収納用梱包体であって、
前記事務機器が前記移動用車輪側から収納される梱包箱体部と、
前記梱包箱体部の内底面に配設され前記事務機器を前記梱包箱体部に対して昇降させる昇降手段と、
前記梱包箱体部の外面に設けられ前記昇降手段を操作する操作部とを有し、
前記梱包箱体部の底面には前記移動用車輪の通過を許す切り欠き部が形成されており、
前記操作部の操作に応じて前記梱包箱体部内に収納された前記事務機器を昇降させて前記移動用車輪を前記切り欠き部から選択的に露出させるようにしたことを特徴とする事務機器収納用梱包体。
【請求項２】
前記昇降手段は、前記梱包箱体部の底面に沿って配置された回転軸体と、
該回転軸体に偏心して取り付けられ前記事務機器の底面に当接して前記事務機器を支持するカム部材とを有し、
前記操作部の操作に応じて前記カム部材を前記回転軸体回りに回動させて前記事務機器を昇降させるようにしたことを特徴とする請求項１記載の事務機器収納用梱包体。
【請求項３】
前記梱包箱体部の底面には係止部が形成されており、
前記昇降手段は前記係止部と前記事務機器とを連結して前記梱包箱体部に対して上向きの力を作用させる付勢手段を備えていることを特徴とする請求項２記載の事務機器収納用梱包箱体。
【請求項４】
前記カム部材の前記回転軸体からの最大径は前記梱包箱体部の内底面と前記事務機器の底面との距離に略等しく、さらに前記最大径は前記移動用車輪の高さに略等しく、
前記移動用車輪が前記切り欠き部から露出した際前記切り欠き部から前記カム部材が露出するようにしたことを特徴とする請求項２又は３記載の事務機器収納用梱包体。
【発明の詳細な説明】
【技術分野】
【０００１】
本発明は、事務機器、特に、複写機、プリンター、又はファクシミリ装置等の画像形成装置を収納する梱包体に関するものである。
【背景技術】
【０００２】
一般に、画像形成装置等の事務機器を出荷する際には、事務機器をダンボール製等の梱包体に収納しており、事務機器が収納された梱包体を荷役作業する際、例えば、フォークリフト等が用いられている。フォークリフトを用いて、荷役作業を行う際には、一般にパレットを介して事務機器を運搬しており、例えば、大型の事務機器を運搬する際には、数人がかりでパレットの上に事務機器を載せなければならず、手間がかかってしまう。
【０００３】
また、事務機器が収納された梱包体をトラック等に積み込む際には、梱包体を集積場に運ぶ必要があるが、この際には、梱包体を台車等に載せて集積場まで運搬する必要があり、台車への梱包体（つまり、事務機器）の載置を考慮すると、事務機器の集積場への運搬に手間が掛かってしまう。
【０００４】
一方、事務機器の回収運搬を行う際の作業性を向上させるため、事務機器本体の底部に、その荷役作業時に用いるパレット部材を取り付け、このパレット部材を、横長矩形枠状に形成して、蝶番等によって回動可能として使用状態と格納状態とに切り換えるようにし、使用状態においては、キャスタ・アジャスタフット等の支持部材と固定部材とをビスで選択的に取付可能とし、複写機を設置する際には、支持部材を取り付けてパレット部材を格納状態とし、運搬の際には、パレット部材を使用状態として支持部材を固定部材に付け替えて、パレット部材を使用状態に固定するようにしたものがある（特許文献１参照）。
【０００５】
【特許文献１】特開２００２−２７１０４４公報（段落（００１７）〜段落（００３２）、第１図〜第４図）
【発明の開示】
【発明が解決しようとする課題】
【０００６】
上述のように、パレット部材を事務機器本体の底部に取り付け、このパレット部材を回動させて選択的にパレット部材を使用状態及び格納状態として、事務機器を運搬する際には、パレット部材を使用状態として事務機器を運搬するようにすれば、事務機器運搬の際に、パレット部材に事務機器を載置するという作業上の手間を省略することができるものの、事務機器出荷時等、事務機器が梱包体に収納された状態では、パレット部材も梱包体内に収納された状態となってしまっているから、事務機器に取り付けられたパレット部材を用いることはできず、結果的に事務機器運搬の際の手間を省略することができない。
【０００７】
つまり、梱包体に収納された事務機器を運搬する際には、フォークリフト又は台車に事務機器を載せて運搬しなければならず、大型の事務機器においては数人掛りでパレット部際又は台車に梱包体を載置しなければならず、その作業は極めて手間の係るものである。
【０００８】
また、梱包体に収納された事務機器を移動させる際、その移動距離が僅かであっても、台車等に梱包体を載置して移動させなければならず、その都度台車に梱包体を載せるとなると、一人では梱包体を移動させることもできないことがある。
【０００９】
従って、本発明はかかる従来技術の問題に鑑み、事務機器の移動が極めて容易な事務機器収納用梱包体を提供することを目的とする。
【課題を解決するための手段】
【００１０】
そこで、本発明はかかる課題を解決するために、底面に移動用車輪が装着された事務機器を収納するための事務機器収納用梱包体であって、前記事務機器が前記移動用車輪側から収納される梱包箱体部と、前記梱包箱体部の内底面に配設され前記事務機器を前記梱包箱体部に対して昇降させる昇降手段と、前記梱包箱体部の外面に設けられ前記昇降手段を操作する操作部とを有し、前記梱包箱体部の底面に前記移動用車輪の通過を許す切り欠き部を形成して、前記操作部の操作に応じて前記梱包箱体部内に収納された前記事務機器を昇降させて前記移動用車輪を前記切り欠き部から選択的に露出させるようにしたことを特徴とするものである。
【００１１】
本発明では、前記昇降手段は、例えば、前記梱包箱体部の底面に沿って配置された回転軸体と、該回転軸体に偏心して取り付けられ前記事務機器の底面に当接して前記事務機器を支持するカム部材とを有し、前記操作部の操作に応じて前記カム部材を前記回転軸体回りに回動させて前記事務機器を昇降させるようにする。
【００１２】
本発明では、前記梱包箱体部の底面には係止部が形成され、前記昇降手段には前記係止部と前記事務機器とを連結して前記梱包箱体部に対して上向きの力を作用させる付勢手段が備えており、さらに、前記カム部材の前記回転軸体からの最大径は前記梱包箱体部の内底面と前記事務機器の底面との距離に略等しく、さらに前記最大径は前記移動用車輪の高さに略等しくされる。そして、前記移動用車輪が前記切り欠き部から露出した際、前記切り欠き部から前記カム部材が露出する。
【発明の効果】
【００１３】
以上のように、本発明の梱包体は、梱包箱体部の内底面に昇降手段を配設して、梱包箱体部の外面に設けられた操作部を操作すると、操作部の操作に応じて梱包箱体部内に収納された事務機器が昇降手段によって昇降されて移動用車輪を、梱包箱体部の底面に形成された切り欠き部から選択的に露出させるようにしたので、梱包状態にある事務機器を移動させる際には、操作部を操作して移動用車輪を梱包箱体部から露出させるようにすればよく、梱包された状態の事務機器を極めて容易に移動させることができるという効果がある。
【００１４】
本発明では、梱包箱体部の底面に沿って回転軸体を配置して、この回転軸体に偏心してカム部材を取り付けて、このカム部材が事務機器の底面に当接して事務機器を支持するようにして、操作部の操作に応じてカム部材を回転軸体回りに回動させて事務機器を昇降させるようにしたから、極めて簡単な構成で選択的に梱包箱体部から移動用車輪を露出させることができるという効果があり、しかも事務機器側に何等部品を付加する必要もなく、コストアップを抑えることができる。
【００１５】
なお、本発明では、梱包箱体部の底面に係止部を形成して、係止部と事務機器とを付勢手段によって連結して梱包箱体部に対して上向きの力を作用させるようにしたから、事務機器の移動車輪が床面に当接すると、付勢手段によって梱包箱体部が持ち上がることになる。そして、カム部材の前記回転軸体からの最大径を梱包箱体部の内底面と前記事務機器の底面との距離に略等しくするとともに、移動用車輪の高さに略等しくしたから、移動用車輪の露出が妨げられることはない。
【発明を実施するための最良の形態】
【００１６】
以下、図面を参照して本発明の好適な実施例を例示的に詳しく説明する。但しこの実施例に記載されている構成部品の寸法、材質、形状、その相対的配置等は特に特定的な記載がない限りは、この発明の範囲をそれに限定する趣旨ではなく、単なる説明例に過ぎない。
【実施例１】
【００１７】
図１及び図２を参照して、ここでは、事務機器として、画像形成装置の１つである複写機を梱包運搬する例について説明するが、他の画像形成装置、画像形成装置以外の事務機器についても同様にして適用できるものである。
【００１８】
複写機１１は、出荷時等には、梱包されることになるが、この際には、図１及び図２に示す梱包体２０が用いられる。図１は複写機１１が収納された状態で梱包体２０を破断して一側面側からみた図であり、図２は複写機１１が収納された状態で梱包体２０を破断して一側面側からみた図である。複写機１１の底面側には、複数の移動用車輪（キャスター）１２が装着されており（例えば、複写機１１の底面には本体ベース部材１３が取り付けられており、この本体ベース部材１３にキャスター１２が取り付けられる。なお、図示の例では、キャスター１２は４つ装着されている）、これらキャスター１２によって複写機１１を床面１４上で移動させることができる。
【００１９】
複写機１１の出荷時には、複写機１１は梱包体２０に収納されることになるが、梱包体２０は、例えば、ダンボール製の梱包箱体（カバー部）２１と梱包底部材（ベース部）２２とを有しており、梱包底部材２２は、例えば、木材製であり、梱包箱体２１の一面は開口されている。そして、後述するように、梱包底部材２２上に複写機１１を載置した後、梱包箱体２１をその開口面側から梱包底部材２２に被せて、梱包体２０内に複写機１１を収納する。がなお、図１に示すように、補強のため、梱包底部材２２の側面は補強のため立ち上げられている。
【００２０】
梱包底部材２２の内底面に沿って回転軸体２３が配置されており、図１に示す例では、３つの回転軸体２３が予め規定された間隔をおいて配置されており、各回転軸体２３は梱包底部材２２の一側面及び梱包箱体２１の一側面及びこの一側面と対向する他側面を貫通して回転可能に支持されている。そして、各回転軸体２３の一端側には昇降レバー部材（操作部）２４が取り付けられ、この昇降レバー部材２４は梱包箱体２１の外側に位置付けられている。なお、図１に示す例では、回転軸体２３は、キャスター１２間に１つ、キャスター１２の外側にそれぞれ１つ配置されている。
【００２１】
各回転軸体２３には所定の間隔をおいて複数の略扇形状偏心カム部材２５が取り付けられており、図示の例では、３つの偏心カム部材２５が各回転軸体２３に取り付けられている。梱包底部材２２の底面及び梱包箱体２１の底面には、複数の切り欠き部２６が形成されており、これら切り欠き部２６は複数のキャスター１２の位置に対応して形成されるとともに、偏心カム部材２５に対応して形成されており、後述するように、昇降レバー部材２４の操作によってキャスター１２が切り欠き部２６を通過するとともに、偏心カム部材２５が切り欠き部２６に挿入される。つまり、切り欠き部２６は昇降レバー部材２４の操作に応じてキャスター１２及び偏心カム部材２５の通過を許すことになる。
【００２２】
さらに、梱包底部材２２の内底面には上方突起する少なくとも２つの係止部２２ａが形成されており、これら係止部２２ａは梱包底部材２２上に複写機１１が載置された際、複写機１１の側面の延長線よりも外側に位置するように形成され、係止部２２ａは互いに対向する状態にある。一方、図示はしないが複写機１１の側面には係止部２２ａに対応するフック部が形成されている。
【００２３】
複写機１１を出荷する際には、前述したように、梱包底部材２２上に複写機１１が載置され、係止部２２ａとフック部との間にバネ部材２７が装着される。つまり、バネ部材２７の一端が係止部２２ａに係止され、バネ部材２７の他端がフック部にフックされる。この結果、バネ部材２７によって梱包底部材２２に対して上向きの力が作用する。その後、梱包箱体２１が梱包底部材２２に被せられて、梱包箱体２１と梱包底部材２２とを固定する。梱包体２０内に複写機１１が収納される。この際には、偏心カム部材２５の頂点Ｐが複写機１１の底面に当接した状態となっている。図１において、偏心カム部材２５の径は（つまり、回転軸体２３から偏心カム部材２５の頂点Ｐまでの距離Ｌ１（最大径））はキャスター１２の高さと略同一である。
【００２４】
上述のようにして、梱包体２０に複写機１１を収納した状態では、偏心カム部材２５の頂点Ｐが複写機１１の底面に当接した状態であり、前述のように、偏心カム部材２５の径はキャスター１２の高さと略同一であるから、キャスター１２は切り欠き部２６を通過して外側に露出していない状態である（つまり、梱包体２０（梱包底部材２２）の底面が床面１４に当接している）。
【００２５】
複写機１１を移動させる際には、昇降レバー２４を操作して、回転軸体２３を回動させて、図１に実線矢印で示すように、偏心カム部材２５を回動させる。偏心カム部材２５の回動に伴って、偏心カム部材２５の頂点Ｐが複写機１１の底面と当接した状態を離脱し、偏心カム部材２５の頂点Ｐは切り欠き部２６を通過して梱包体２０の外側に位置する状態となる。なお、前述の距離Ｌ１は梱包箱体２１の底面の厚さ及び梱包底部材２２の厚さの合計よりも大きい。
【００２６】
一方、偏心カム部材２５の頂点Ｐの移動につれて、偏心カム部材２５に支持されていた複写機１１は徐々に降下する。そして、複写機１１は偏心カム部材２５の回動に伴って複写機１１が降下すると、キャスター１２が切り欠き部２６を通過して梱包体２０の外側に達して、キャスター１２が床面１４に当接する。キャスター１２が床面に当接した後、さらに偏心カム部材２５が回動して、偏心カム部材２５の頂点Ｐが切り欠き部２６を通過して梱包体２０の外側に位置すると、前述のように梱包底部材２２と複写機１１とはバネ部材２７で連結されているから（つまり、梱包底部材２２には上向きの力が作用しているから）、バネ部材２７によって梱包底部材２２が上方に引っ張られて、上昇し（つまり、梱包体２０が上昇して）、図３及び図４に示す状態となる。
【００２７】
このようにして、梱包体２０からキャスター１２を露出させた後（キャスター１２を床面１４に当接させた後）、梱包体２０を押す等すれば、キャスター１２によって複写機１１は梱包体２０とともに移動することになるから、梱包後の複写機１１を移動する際に、わざわざ台車等を使用することなく、極めて容易に梱包後の複写機１１を移動させることができる。しかも、複写機１１側には新たに部品等を追加する必要がなく、出荷後ユーザ元等において、梱包体２０から複写機１１を取り出した後、梱包体２０を回収するようにすれば、出荷の際再度梱包体２０を使用することができ、リサイクル及び省資源の面においても有効であり、コスト低減を図ることができる。
【００２８】
複写機１１を移動させた際には、再度昇降レバー部材２４を回動させて、偏心カム部材２５を切り欠き部２６を通過させ、梱包体２０内に収納するようにすれば、偏心カム部材２５の回動に応じて複写機１１が上昇して、キャスター１２が梱包体２０内に収納されることになる（つまり、偏心カム部材２５の頂点Ｐが複写機１１の底面に当接した状態となって、キャスター１２が梱包箱体２０内に収納され、梱包体２０の底面が床面１４に当接した状態となる）。
【００２９】
このようにして、キャスター１２を梱包体２０に収納すれば、トラック等に梱包体２０を積み込む際に（つまり、梱包体２０をトラックの荷台に積み上げる際に）、キャスター１２が邪魔になることはない。
【００３０】
上述の例では、３つの回転軸体２３を有する例について説明したが、回転軸体２３は２つ備えれば十分であり、各回転軸体２３に装着される偏心カム部材２５も２つ備えるようにすればよい。また、偏心カム部材２５として軸方向に十分長い偏心カム部材２５を用いるようにすれば、各回転軸体２３に１つの偏心カム部材２５を備えるようにしてもよいが、この際には、偏心カム部材２５は回転軸体２３の中央部には配置するようにする。なお、上述の例では、回転軸体及び偏心カム部材２５が昇降手段として機能することになる。また、梱包箱体２１及び梱包底部材２２が梱包箱体部となる。さらに、バネ部材２７の代わりにゴムチューブ等を用いるようにしてもよく、いずれにしても、弾性部材等のように、梱包底部材２２に対して上向きの力を作用させる付勢部材を用いるようにすればよい。
【産業上の利用可能性】
【００３１】
梱包箱体部の内底面に昇降手段を配設して、梱包箱体部の外面に設けられた操作部を操作すると、操作部の操作に応じて梱包箱体部内に収納された事務機器が昇降手段によって昇降されて移動用車輪を、梱包箱体部の底面に形成された切り欠き部から選択的に露出させるようにしたので、梱包状態にある事務機器を移動させる際には、操作部を操作して移動用車輪を梱包箱体部から露出させるようにすればよく、梱包された状態の事務機器を極めて容易に移動させることができる結果、複写機等の画像形成装置が梱包された状態において、その移動に適用できる。
【図面の簡単な説明】
【００３２】
【図１】本発明による事務機器収納用梱包体の実施例１を事務機器である複写機が収納された状態で一側面から破断して示す図である。
【図２】本発明による事務機器収納用梱包体の実施例１を事務機器である複写機が収納された状態で一側面から破断して示す図である。
【図３】図１において、事務機器のキャスターを梱包体から露出させた状態を部分的に示す図である。
【図４】図２において、事務機器のキャスターを梱包体から露出させた状態を部分的に示す図である。
【符号の説明】
【００３３】
１１  複写機
１２  キャスター
１３  本体ベース部材
１４  床面
２０  梱包体
２１  梱包箱体
２２  梱包底部材
２３  回転軸体
２４  昇降レバー部材
２５  偏心カム部材
２６  切り欠き部
２７  バネ部材
【図１】
2005239252.tif 000003
【図２】
2005239252.tif 000004
【図３】
2005239252.tif 000005
【図４】
2005239252.tif 000006